(57)【要約】【課題】原稿文書から取得した原稿画像の内から出力が認証により制限されない画像を継続出力できる画像出力装置、画像出力システム、及び画像出力プログラムを提供する。【解決手段】原稿画像を順次取得する画像取得手段と、画像取得手段が取得した原稿画像を出力する出力手段と、画像取得手段が取得した原稿画像から、画像処理装置が実行する処理を制御するための制御情報を取得する情報取得手段と、情報取得手段が取得した制御情報に基づいて制御情報を有する原稿画像の出力を制限するか否かを認証結果から判断し、制限すると判断する場合には出力を制限し、かつそうでない場合には原稿画像を継続出力するよう出力手段を制御する制御手段とを備える。  この構成によれば、出力が認証により制限されない原稿画像を継続して出力できる。【選択図】図２
2008113338.tif 000002
【特許請求の範囲】
【請求項１】
画像処理装置が画像処理の対象とする原稿文書を構成する原稿画像を順次取得する画像取得手段と、
前記画像取得手段が取得した原稿画像を出力する出力手段と、
前記画像取得手段が取得した原稿画像が有する特定の画像で表される制御画像から、前記画像処理装置が実行する処理を制御するための制御情報を取得する情報取得手段と、
前記情報取得手段が取得した制御情報が認証を要求するか否かを判断し、要求すると判断する場合には認証の結果に基づいて前記制御情報を有する原稿画像の出力を制限するか否かを判断し、制限すると判断する前記原稿画像に対しては出力を制限し、かつ要求しない又は制限しないと判断する前記原稿画像に対しては継続出力するよう前記出力手段を制御する制御手段とを備えることを特徴とする画像処理装置。
【請求項２】
前記制御手段は、前記原稿画像の出力を制限すると判断する場合には前記原稿画像に代えて前記原稿画像の出力を制限したことを表す制限画像を出力するよう前記出力手段を制御することを特徴とする請求項１に記載の画像処理装置。
【請求項３】
前記画像取得手段が取得した原稿画像と、前記原稿画像の出力を制限したことを表す制限画像とを合成する合成手段を更に備え、
前記制御手段は、前記原稿画像の出力を制限すると判断する場合には、前記原稿画像に代えて前記合成手段が前記原稿画像と合成した制限画像を出力するよう前記出力手段を制御し、
前記制限画像は、前記制限画像と合成される原稿画像が表す情報を隠蔽する画像であることを特徴とする請求項１に記載の画像処理装置。
【請求項４】
前記制限画像は、予め記憶部が記憶する画像を含むことを特徴とする請求項２又は３に記載の画像処理装置。
【請求項５】
前記制限画像は、白紙画像又は黒紙画像を含むことを特徴とする請求項２から４のいずれかに記載の画像処理装置。
【請求項６】
前記制御手段が実行する動作処理を表す情報を表示する表示手段と、
前記表示手段が表示する前記動作処理を選択する信号を入力する入力手段とを更に備え、
前記動作処理は、前記制御情報が要求する認証を実行する処理、前記出力が制限される原稿画像に代えて制限画像を出力する処理、及び前記出力が制限される原稿画像を出力しない処理のいずれか１つ以上を含み、
前記制御手段は、前記入力手段が入力した信号で選択された動作処理を実行することを特徴とする請求項２から５のいずれかに記載の画像処理装置。
【請求項７】
前記画像取得手段が取得した原稿画像を蓄積する蓄積手段を更に有し、
前記出力手段は、前記蓄積手段が蓄積した画像を出力し、
前記制御手段は、出力を制限すると判断した前記原稿画像に代えて前記制限画像を蓄積するよう前記蓄積手段を制御し、
前記制限画像は、前記蓄積手段に予め蓄積された画像であることを特徴とする請求項２に記載の画像処理装置。
【請求項８】
前記制御手段は、出力される画像の全てが前記制限画像となる場合には、前記画像の全ての出力を制限するよう前記出力手段を制御することを特徴とする請求項２から７のいずれかに記載の画像処理装置。
【請求項９】
前記出力手段は、前記蓄積手段が蓄積した複数の画像を印刷媒体の同一印刷面に印刷出力し、
前記制御手段は、前記同一印刷面に印刷される画像の全てが前記制限画像となる場合には、前記同一印刷面に印刷される画像の全ての印刷出力を制限するよう前記出力手段を制御することを特徴とする請求項７に記載の画像処理装置。
【請求項１０】
画像処理装置が画像処理の対象とする原稿文書を構成する原稿画像を順次取得する画像取得手段と、
前記画像取得手段が取得した原稿画像を出力する出力手段と、
前記画像取得手段が取得した原稿画像が有する特定の画像で表される制御画像から、前記画像処理装置が実行する処理を制御するための制御情報を取得する情報取得手段と、
前記情報取得手段が取得した制御情報が認証を要求するか否かを判断し、要求すると判断する場合には認証の結果に基づいて前記制御情報を有する原稿画像の出力を制限するか否かを判断し、制限すると判断する前記原稿画像に対しては出力を制限し、かつ要求しない又は制限しないと判断する前記原稿画像に対しては継続出力するよう前記出力手段を制御する制御手段とを備える画像処理システム。
【請求項１１】
コンピュータを、画像処理装置が画像処理の対象とする原稿文書を構成する原稿画像を順次取得する画像取得手段と、
前記画像取得手段が取得した原稿画像を出力する出力手段と、
前記画像取得手段が取得した原稿画像が有する特定の画像で表される制御画像から、前記画像処理装置が実行する処理を制御するための制御情報を取得する情報取得手段と、
前記情報取得手段が取得した制御情報が認証を要求するか否かを判断し、要求すると判断する場合には認証の結果に基づいて前記制御情報を有する原稿画像の出力を制限するか否かを判断し、制限すると判断する前記原稿画像に対しては出力を制限し、かつ要求しない又は制限しないと判断する前記原稿画像に対しては継続出力するよう前記出力手段を制御する制御手段とを備える画像処理プログラム。
【発明の詳細な説明】
【技術分野】
【０００１】
本発明は、画像処理装置、画像処理システム、及び画像処理プログラムに関する。
【背景技術】
【０００２】
従来から、予め定められた条件に合致する場合のみ、画像処理機能を提供する画像処理装置が知られている。特に、画像処理装置を使用するユーザを識別する情報及びパスワード（以下単に、ユーザ認証情報と言う）を入力する入力手段と画像処理の実行を制御する制御手段とを有し、入力手段が入力したユーザ認証情報が予め設定されたユーザ認証情報と一致しない場合には、制御手段は画像処理の実行を禁止する画像処理装置が知られている（例えば、特許文献１）。
【特許文献１】特開２００２‐５７８９５
【発明の開示】
【発明が解決しようとする課題】
【０００３】
本発明の目的とするところは、原稿文書を構成する原稿画像の内から出力が制限されない原稿画像に対して出力処理を順次継続して実行できる画像出力装置、画像出力システム、及び画像出力プログラムを提供する。
【課題を解決するための手段】
【０００４】
本発明に係る画像処理装置は、画像処理装置が画像処理の対象とする原稿文書を構成する原稿画像を順次取得する画像取得手段と、画像取得手段が取得した原稿画像を出力する出力手段と、画像取得手段が取得した原稿画像が有する特定の画像で表される制御画像から、画像処理装置が実行する処理を制御するための制御情報を取得する情報取得手段と、情報取得手段が取得した制御情報が認証を要求するか否かを判断し、要求すると判断する場合には認証の結果に基づいて制御情報を有する原稿画像の出力を制限するか否かを判断し、制限すると判断する原稿画像に対しては出力を制限し、かつ要求しない又は制限しないと判断する原稿画像に対しては継続出力するよう出力手段を制御する制御手段とを備えることを特徴としている。
【０００５】
上記構成において、制御手段は、原稿画像の出力を制限すると判断する場合には原稿画像に代えて原稿画像の出力を制限したことを表す制限画像を出力するよう出力手段を制御する構成を採用できる。
【０００６】
上記構成において、画像取得手段が取得した原稿画像と、原稿画像の出力を制限したことを表す制限画像とを合成する合成手段を更に備え、制御手段は、原稿画像の出力を制限すると判断する場合には、原稿画像に代えて合成手段が原稿画像と合成された制限画像を出力するよう出力手段を制御し、制限画像は、制限画像と合成される原稿画像が表す情報を隠蔽する画像である構成を採用できる。
【０００７】
上記構成において、制限画像は、予め記憶部に記憶された画像を含む構成を採用できる。
【０００８】
上記構成において、制限画像は、白紙画像又は黒紙画像を含む構成を採用できる。
【０００９】
上記構成において、制御手段が実行する動作処理を表す情報を表示する表示手段と、表示手段が表示する動作処理を選択する信号を入力する入力手段とを更に備え、動作処理は、制御情報が要求する認証を実行する処理、出力が制限される原稿画像に代えて制限画像を出力する処理、及び出力が制限される原稿画像を出力しない処理のいずれか１つ以上を含み、制御手段は、入力手段が入力した信号で選択された動作処理を実行する構成を採用できる。
【００１０】
上記構成において、画像取得手段が取得した原稿画像を蓄積する蓄積手段を更に有し、出力手段は、蓄積手段が蓄積した画像を出力し、制御手段は、出力を制限すると判断した原稿画像に代えて制限画像を蓄積するよう蓄積手段を制御し、制限画像は、蓄積手段に予め蓄積された画像である構成を採用できる。
【００１１】
上記構成において、制御手段は、出力される画像の全てが制限画像となる場合には、画像の全ての出力を制限するよう出力手段を制御する構成を採用できる。
【００１２】
上記構成において、出力手段は、蓄積手段が蓄積した複数の画像を印刷媒体の同一印刷面に印刷出力し、制御手段は、同一印刷面に印刷される画像の全てが制限画像となる場合には、同一印刷面に印刷される画像の全ての印刷出力を制限するよう出力手段を制御する構成を採用できる。
【００１３】
本発明に係る画像処理システムは、画像処理装置が画像処理の対象とする原稿文書を構成する原稿画像を順次取得する画像取得手段と、画像取得手段が取得した原稿画像を出力する出力手段と、画像取得手段が取得した原稿画像が有する特定の画像で表される制御画像から、画像処理装置が実行する処理を制御するための制御情報を取得する情報取得手段と、情報取得手段が取得した制御情報が認証を要求するか否かを判断し、要求すると判断する場合には認証の結果に基づいて制御情報を有する原稿画像の出力を制限するか否かを判断し、制限すると判断する原稿画像に対しては出力を制限し、かつ要求しない又は制限しないと判断する原稿画像に対しては継続出力するよう出力手段を制御する制御手段とを備えることを特徴としている。
【００１４】
本発明に係る画像処理プログラムは、コンピュータを、画像処理装置が画像処理の対象とする原稿文書を構成する原稿画像を順次取得する画像取得手段と、画像取得手段が取得した原稿画像を出力する出力手段と、画像取得手段が取得した原稿画像が有する特定の画像で表される制御画像から、画像処理装置が実行する処理を制御するための制御情報を取得する情報取得手段と、情報取得手段が取得した制御情報が認証を要求するか否かを判断し、要求すると判断する場合には認証の結果に基づいて制御情報を有する原稿画像の出力を制限するか否かを判断し、制限すると判断する原稿画像に対しては出力を制限し、かつ要求しない又は制限しないと判断する原稿画像に対しては継続出力するよう出力手段を制御する制御手段として機能させることを特徴としている。
【発明の効果】
【００１５】
請求項１の構成によれば、制御情報が要求する認証によって出力が制限される原稿画像を含む原稿文書を処理対象とする場合であっても、出力が制限されない原稿画像を継続して出力できる。
【００１６】
請求項２の構成によれば、制限画像に基づいて出力が制限された原稿画像の有無を知ることができるだけでなく、制限画像の出力順序に基づいて出力が制限された原稿画像を知ることができる。
【００１７】
請求項３の構成によれば、出力が制限された原稿画像の出力を容易に制限できる。
【００１８】
請求項４の構成によれば、予め記憶部が記憶する画像に基づいて出力が制限された原稿画像を知ることができる。
【００１９】
請求項５の構成によれば、白紙画像又は黒紙画像は全画素が同じ画素値であるため容易に原稿画像に代えることができる。
【００２０】
請求項６の構成によれば、出力が制限される原稿画像に対する所望の動作処理を選択して画像処理装置に実行させることができる。
【００２１】
請求項７の構成によれば、容易に出力を制限される原稿画像と制限画像とを置換して出力できる。
【００２２】
請求項８の構成によれば、制限画像のみで構成される出力文書を出力することがない。
【００２３】
請求項９の構成によれば、制限画像のみを印刷面に印刷された印刷媒体を出力することがない。
【００２４】
請求項１０の構成によれば、制御情報が要求する認証によって出力が制限される原稿画像を含む原稿文書を処理対象とする場合であっても、出力が制限されない原稿画像を継続して出力できる。
【００２５】
請求項１１の構成によれば、制御情報が要求する認証によって出力が制限される原稿画像を含む原稿文書を処理対象とする場合であっても、出力が制限されない原稿画像を継続して出力できる。
【発明を実施するための最良の形態】
【００２６】
以下、本発明の最良の実施形態について、添付図面を参照しつつ説明する。
【実施例１】
【００２７】
図１は本発明の画像処理システムの一実施形態を示す構成図である。
本実施形態における画像処理システム１０は、通信網１００、１又は複数の遠隔端末９０００から９００ｎ、及び画像処理装置１０００で構成されている。
【００２８】
通信網１００は、例えば、ＬＡＮ（Local Area Network ）、ＷＡＮ（Wide Area Network）、ＭＡＮ（Metropolitan Area Network）、又は公衆回線網等で構成され、画像処理装置１０００と遠隔端末９０００から９００ｎとを通信可能に接続する。
【００２９】
画像処理装置１０００について説明する前に、遠隔端末９０００から９００ｎについて説明する。遠隔端末９０００から９００ｎの構成はそれぞれほぼ同一の構成、接続、及び機能を有するため、遠隔端末９０００について説明する。
【００３０】
遠隔端末９０００は、例えば、パーソナルコンピュータ、又はＰＤＡ（Personal Digital Assistant）等で構成され、通信網１００を介して画像処理装置１０００に接続している。
【００３１】
遠隔端末９０００は、図示は省略するが、例えば、キーボード、ポインティングディバイス、タッチパネル、又はボタンで構成される入力部、液晶パネル又はＣＲＴ（Cathode  Ray  Tube）で構成される表示部、及び例えば、ネットワークアダプタで構成される通信部を有している。
【００３２】
遠隔端末９０００の有する入力部は、遠隔端末９０００を使用する使用者に操作されて、制御情報等の各種情報、及び各種命令を入力する。遠隔端末９０００の有する通信部は、入力された制御情報及び各種命令を取得して画像処理装置１０００へ送信する。尚、制御情報については後述する。また、通信部は、画像処理装置１０００から送信された情報を取得し、取得した情報は表示部に表示される。
【００３３】
画像処理装置１０００は、通信網１００を介して遠隔端末９０００から９００ｎに接続している。画像処理装置１０００は、遠隔端末９０００から９００ｎから制御情報等の各種情報、及び各種命令の命令を取得する。
【００３４】
ここで、図２を参照して本実施形態における画像処理装置１０００の構成について説明する。図２は、実施例１における画像処理装置１０００の実施形態を表す機能ブロック図である。
【００３５】
画像処理装置１０００は、画像展開部１０１０、画像読取部１０２０、読取画像処理部１０３０、地紋画像検出部１０４０、情報取得部１０５０、画像蓄積部１０６０、出力部１０７０、制御部１１００、入力部１１１０、及び表示部１１２０で構成される。
【００３６】
尚、画像展開部１０１０、画像読取部１０２０、読取画像処理部１０３０、地紋画像検出部１０４０、情報取得部１０５０、画像蓄積部１０６０、出力部１０７０、制御部１１００、入力部１１１０、及び表示部１１２０の有する機能は、画像処理装置１０００が実行するソフトウェア制御により実現される。
【００３７】
ここで図３を参照して、ソフトウェア制御を実行するための画像処理装置１０００のハードウェア構成について説明する。図３は、このソフトウェア制御を実現するための画像処理装置１０００のハードウェアの一構成例を表すハードウェア構成図である。
【００３８】
画像処理装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の電源を切ることにより記憶内容が失われる半導体記憶装置（以下、揮発性メモリと言う）、ＮＶＲＡＭ（Non Volatile RAM）等の電源を切ることによっても記憶内容が失われない半導体記憶装置（以下、不揮発性メモリと言う）で構成されるＲＡＭ１００３（Random Access Memory）及び例えばハードディスク（Hard Disk）等の外部記憶部１００４で構成され、演算部１００１、ＲＯＭ１００２、ＲＡＭ１００３、及び外部記憶部１００４は互いにバス１００５によって接続している。
【００３９】
ソフトウェア制御は、ＲＯＭ１００２、ＲＡＭ１００３、又は外部記憶部１００４の少なくともひとつに格納したプログラムを演算部１００１が読み、読込んだプログラムに従って演算部１００１が演算を行うことにより上記各部の機能を実現する。
【００４０】
次に、図２に戻って引き続き画像処理装置１０００の構成について説明する。
画像展開部１０１０は、通信網１００、及び画像蓄積部１０６０に接続している。画像展開部１０１０は、通信網１００から、例えば、ページ記述言語ＰＤＬ（Page Description Language）等の画像を展開する基となる情報を取得し、取得した情報に基づいて原稿画像を展開する。
【００４１】
上記実施形態では、画像展開部１０１０は、通信網１００に接続し、接続した通信網１００から取得した情報に基づいて原稿画像を展開する場合について説明したが、これに限定される訳ではない。
【００４２】
画像展開部１０１０は、例えば、ＵＳＢ（Universal Serial Bus）又はＰＣＩ（Peripheral Component Interconnect）規格に準拠するバス１００５により画像処理装置１０００と取り外し可能に接続される外部記憶部１００４に接続し、接続した外部記憶部１００４から取得した電子ファイルに基づいて原稿画像を展開する構成を採用できる。
【００４３】
特に、この外部記憶部１００４と画像処理装置１０００とはホットドッキング可能であり、画像処理装置１０００が起動している場合であっても取り付け及び取り外し可能である構成を採用できる。
【００４４】
次に、画像展開部１０１０は、展開した原稿画像を、原稿文書を構成する順（例えば、原稿文書を構成する頁であって原稿画像を有する頁の頁順）に従って画像蓄積部１０６０に出力する。
【００４５】
画像読取部１０２０は、例えば、スキャナで構成され、読取画像処理部１０３０、地紋画像検出部１０４０、及び情報取得部１０５０に接続している。画像読取部１０２０は、例えば、複写対象とする原稿文書を構成する順番（つまり、印刷媒体が重ねられた順番）に従って、印刷用紙等の印刷媒体を１媒体ずつ読取って印刷媒体に印刷された原稿画像を取得する。次に、画像読取部１０２０は、取得した画像を読取画像処理部１０３０、地紋画像検出部１０４０、及び情報取得部１０５０へ出力する。
【００４６】
読取画像処理部１０３０は、画像読取部１０２０、及び画像蓄積部１０６０に接続している。読取画像処理部１０３０は、画像読取部１０２０から画像を取得し、画像補正、色変換、及び拡大縮小などの画像処理を行い、画像処理を行った画像を画像蓄積部１０６０へ出力する。
【００４７】
地紋画像検出部１０４０は、画像読取部１０２０及び制御部１１００に接続している。地紋画像検出部１０４０は、画像読取部１０２０から画像読取部１０２０が読取った画像を取得する。
【００４８】
次に、地紋画像検出部１０４０は、取得した画像から制御情報を表す制御画像を検出する。尚、本実施例では、背景地紋画像を制御画像とする実施例について説明する。
【００４９】
その後、地紋画像検出部１０４０は、取得した画像が背景地紋画像を有するか否かと言う検出結果を制御部１１００へ出力する。
【００５０】
ここで、図４を参照して、地紋画像検出部１０４０が検出対象とする背景地紋画像について説明する。図４は、背景地紋画像の一例を説明するための図である。
【００５１】
ここで、背景地紋画像とは、潜像部と背景部とで構成され、背景部は特定の斜線画像（以下単に、特定画像と言う）の繰り返しで構成される地紋画像ＰＢを含み、潜像部は複写すると再現されない細かい特定の点画像の繰り返しで構成されている画像を含む。又、背景地紋画像Ｗは、印刷出力する出力画像Ｏの背景に合成される。
【００５２】
具体的には、背景地紋画像Ｗは、出力画像Ｏに示されるように、潜像部である潜像画像ＩＰと、出力画像Ｏの全面又は少なくとも一部の面にわたる地紋画像ＰＢとで構成される。
【００５３】
地紋画像ＰＢと潜像画像ＩＰとは、それぞれを構成する繰り返し画像が異なる。しかし、人間の目には灰色の背景として見える様に、単位面積あたりの画素面積及び画素色が同一となるように出力画像Ｏを形成する。
【００５４】
潜像画像は、複写された文書において、潜像画像ＩＰが人間の目で識別できる程度に画像が浮かびあがるよう、他の部分の潜像画像よりも細かい点画像で構成されている。
【００５５】
地紋画像ＰＢは、符号で構成され、符号は特定画像の繰り返しで構成される。よって図５を参照して、地紋画像ＰＢを構成する符号について説明する。図５は符号を構成する特定画像の一例を説明するための図である。
【００５６】
図５は、図４の背景地紋画像Ｗの部分拡大図である。背景地紋画像Ｗを構成する符号は、斜線画像である特定画像ＰＳで構成される。斜線画像ＰＳは、走査方向Ｄに対し反時計回りに４５度傾いた線分で表されるものが、以下で説明する情報符号ＣＤのビット０を、１３５度傾いたものが情報符号ＣＤのビット１を表す。
【００５７】
また符号は、画像処理装置が実行する処理を制御するための情報である制御情報を含む情報（以下単に、符号情報と言う）を表す情報符号ＣＤと情報符号ＣＤに従った処理をする必要があることを表す制限符号ＣＰとから構成される。
【００５８】
よって次に、図６を参照して、制限符号ＣＰについて説明する。図６は、制限符号ＣＰの一例を説明するための図である。
【００５９】
制限符号ＣＰは、制限符号ＣＰを構成する全斜線画像ＰＳがビット０を表すものとビット１を表すものとから構成される。尚、後の実施例において説明するが、画像処理装置が読み込んだ画像が背景地紋画像Ｗを有するか否かは、２種類の制限符号ＣＰを所定個数以上検出した否かに基づいて判断する。
【００６０】
情報符号ＣＤは、同期符号領域ＡＳと符号領域ＡＣとから構成される。同期符号領域ＡＳとは、符号領域ＡＣを囲む所定サイズの矩形領域の外周がすべてビット１を表す斜線画像ＰＳ１で構成されている符号領域を言う。符号領域ＡＣは、ビット０を表す斜線画像ＰＳ０とビット１を表す斜線画像（特定画像）ＰＳ１との組み合わせで制御情報を含む符号情報を表現する。
【００６１】
ここで、図７を参照して、地紋画像検出部１０４０の構成について説明する。図７は、地紋画像検出部の一実施例を表す機能ブロック図である。
【００６２】
地紋画像検出部１０４０は、黒白階調変換部１０４１、二値化処理部１０４２、雑音除去処理部１０４３、特定画像検出部１０４４、区分処理部１０４５、個数算出部１０４６、比率算出部１０４７、及び判定処理部１０４８で構成されている。
【００６３】
黒白階調変換部１０４１は、図示は省略するが、画像読取部１０２０及び二値化処理部１０４２に接続している。黒白階調変換部１０４１は、画像取得部１０２０から取得画像を取得する。その後、黒白階調変換部１０４１は、取得した取得画像を、黒白階調化（いわゆるグレースケール化）する。次に、黒白階調変換部１０４１は、黒白階調化された画像を二値化処理部１０４２へ出力する。
【００６４】
二値化処理部１０４２は、黒白階調変換部１０４１及び雑音除去処理部１０４３に接続している。二値化処理部１０４２は、黒白階調変換部１０４１から黒白階調化された画像を取得する。その後、二値化処理部１０４２は、黒白階調化された画像の各画素を黒又は白を表す０又は１と言う二値で表す二値化処理を実行する。次に、二値化された画像を雑音除去処理部１０４３へ出力する。
【００６５】
雑音除去処理部１０４３は、二値化処理部１０４２及び特定画像検出部１０４４に接続している。雑音除去処理部１０４３は、二値化処理部１０４２から二値化された画像情報を取得する。その後、雑音除去処理部１０４３は、雑音除去処理（いわゆるノイズ除去処理）を実行する。
【００６６】
具体的には、雑音除去処理部１０４３は、黒画素が連結している画素の塊を求める。次に、その画素の塊の大きさ（連結画素数）が所定の範囲に収まっている場合には、画素の塊を構成する各画素を白画素に置換する。
【００６７】
尚、上記所定の範囲は、斜線画像である特定画像ＰＳやその他の特定画像である孤立した特定の点画像や文書中の文字や図形が削除されることが無いような範囲に設定されている。最後に、雑音除去処理部１０４３は、雑音除去処理の施された画像情報を特定画像検出部１０４４へ出力する。
【００６８】
特定画像検出部１０４４は、雑音除去処理部１０４３、及び区分処理部１０４５に接続している。特定画像検出部１０４４は、雑音除去処理部１０４３から雑音除去処理の行われた画像情報を取得する。その後、特定画像検出部１０４４は、特定画像（斜線画像）ＰＳの検出処理を行う。
【００６９】
具体的には、特定画像検出部１０４４は、画像情報を構成する情報について、斜線画像ＰＳに当てはまる画像情報を検出する。ビット０を表す特定画像（斜線画像）ＰＳ０に当てはまる情報が検出された場合は画素値０を、ビット１を表す特定画像（斜線画像）ＰＳ１に当てはまる情報が検出された場合は画素値１を、いずれの特定画像（斜線画像）ＰＳも検出されない場合に画素値３を出力する。最後に、各画素毎に検出結果を記述した画像情報を区分処理部１０４５へ出力する。
【００７０】
区分処理部１０４５は、特定画像検出部１０４４及び個数算出部１０４６に接続している。区分処理部１０４５は、特定画像検出部１０４４から特定画像（斜線画像）ＰＳを検出する処理を実行して得られた画像情報を取得する。
【００７１】
次に、区分処理部１０４５は、取得した画像情報を所定の大きさの方形領域に区分する。ここで、方形領域の大きさは、制限符号ＣＰ及び情報符号ＣＤの領域の大きさの半分よりも小さいとし、制限符号ＣＰ及び情報符号ＣＤの領域の中に少なくとも一個の方形領域が含まれる大きさに設定されている。最後に、区分した画像情報を個数算出部１０４６へ出力する。
【００７２】
個数算出部１０４６は、区分処理部１０４５、比率算出部１０４７及び判定処理部１０４８に接続している。個数算出部１０４６は、区分処理部１０４５から区分された画像情報を取得する。次に、個数算出部１０４６は、方形領域内の画素値０の画素の個数、および画素値１の画素をそれぞれ算出する。その後、算出結果を比率算出部１０４７出力する。また、画素値０及び画素値１の画素の個数の合計値を判定処理部１０４８ヘ出力する。
【００７３】
比率算出部１０４７は、個数算出部１０４６及び判定処理部１０４８に接続している。比率算出部１０４７は、個数算出部１０４６から方形領域毎に画素値０の個数及び画素値１の個数を取得する。次に、比率算出部１０４７は、画素値０の比率を算出し、その結果を判定処理部１０４８へ出力する。
【００７４】
判定処理部１０４８は、個数算出部１０４６、比率算出部１０４７、及び制御部１１００に接続している。判定処理部１０４８は、個数算出部１０４６から画素値０及び画素値１の画素の個数の合計値を取得する。また、比率算出部１０４７から、画素値０の比率を取得する。次に、取得した情報に基づいて判定処理を行う。
【００７５】
判定処理について説明するために、先ず判定処理が利用する特性について説明する。処理している方形領域の内部が、全ビット１の制限符号ＣＰ１の内部に位置している場合、方形領域内部には所定個数以上のビット１に対応する斜線画像が検出され、かつビット０に対応する斜線画像はほとんど検出されないため、ビット０に対応する斜線画像の比率は低くほぼ０.０である。
【００７６】
処理している方形領域が情報符号の少なくとも一部を含む場合、方形領域内部には複数のビット０に対応する斜線画像ＰＳ０及び複数のビット１に対応する斜線画像ＰＳ１が検出されるため、ビット０に対応する斜線画像ＰＳ０の比率は１．０よりも低く、０.０よりも高くなり、０．１と０．９とで定まる区間に属する。
【００７７】
さらに、入力された画像情報が情報符号ＣＤを埋め込まれた画像であれば、画像中には方形領域の内部が全ビット０の制限符号ＣＰ０と方形領域の内部が全ビット１の制限符号ＣＰ１とがそれぞれ複数個埋め込まれている。
【００７８】
以上の特性を利用して、以下の判定処理を行う。
画素値０の合計個数＞第一閾値、かつ、画素値０の比率＞第二の閾値、の場合は、その方形領域は全ビット０の制限符号（以下単に、制限符号０）と判定する。
画素値１の合計個数＞第一閾値、かつ、（１−画素値０の比率）＞第二の閾値、の場合は、その方形領域は全ビット１の制限符号（以下単に、制限符号１）と判定する。
上記以外の場合には、その方形領域は制限符号ＣＰではないと判定する。
【００７９】
第一の閾値は、方形領域の大きさと特定画像の大きさとから方形領域に含まれる理論的な特定画像の個数に緩衝値を加味して設定する。
【００８０】
判定処理部１０４８は、制限符号０と判定された方形領域数、及び制限符号１と判定された方形領域数をそれぞれ別個に算出する。制限符号０と判定された方形領域数が閾値３以上となり、かつ制限符号０と判定された方形領域数が閾値３以上となった場合、その画像は、制限符号を有するために、地紋画像ＰＢを有すると判断し、制御部１１００へその判断を出力する。
【００８１】
ここで、図２に戻り引き続き画像処理装置１０００の構成について説明する。
情報取得部１０５０は、画像読取部１０２０、及び制御部１１００に接続している。情報取得部１０５０は、画像読取部１０２０が読取った画像を取得する。
【００８２】
次に、情報取得部１０５０は、取得した画像が有する背景地紋画像Ｗを構成する符号領域ＡＣから符号情報を取得し、取得した符号情報を復号する。その後、情報取得部１０５０は、復号した符号情報を制御部１１００へ出力する。
【００８３】
ここで、図８を参照して情報取得部１０５０の構成について説明する。図８は、情報取得部の一例を説明するための構成図である。
【００８４】
情報取得部１０５０は、黒白階調変換部１０５１、二値化処理部１０５２、雑音除去処理部１０５３、特定画像検出部１０５４、 バッファメモリ１０５５、歪み角検出部１０５６、符号検出部１０５７、及び誤り訂正復号部１０５８で構成されている。
【００８５】
情報取得部１０５０を構成する黒白階調変換部１０５１、二値化処理部１０５２、雑音除去処理部１０５３、及び特定画像検出部１０５４は、図７を用いて説明した地紋画像検出部１０４０を構成する黒白階調変換部１０４１、二値化処理部１０４２、雑音除去処理部１０４３、及び特定画像検出部１０４４と同様であるため説明を省略する。
【００８６】
バッファメモリ１０５５は、例えば、ＳＤＲＡＭ（Synchronous Dynamic Random Access Memory）又はハードディスク等の外部記憶装置で構成される。バッファメモリ１０５５は、特定画像検出部１０５４、歪み角検出部１０５６及び符号検出部１０５７に接続している。
【００８７】
バッファメモリ１０５５は、特定画像検出部１０５４により特定画像検出後の画像情報を蓄積される。その後、バッファメモリ１０５５はは、歪み角検出部１０５６及び符号検出部１０５７により、蓄積した画像情報を参照される。
【００８８】
歪み角検出部１０５６は、バッファメモリ１０５５及び符号検出部１０５７に接続している。歪み角検出部１０５６は、バッファメモリ１０５５に蓄積された画像情報を参照する。次に、歪み角検出部１０５６は、歪み角（いわゆるスキュー角）の検出を行い、参照された画像情報の歪み角を求める。最後に、求めた歪み角を、符号検出部１０５７へ出力する。
【００８９】
符号検出部１０５７は、バッファメモリ１０５５、歪み角検出部１０５６、及び誤り訂正復号部１０５８に接続している。符号検出部１０５７は、バッファメモリ１０５５に蓄積された画像情報を参照する。次に、符号検出部１０５７は、歪み角検出部１０５６から歪み角が入力される。その後、入力された歪み角と参照した画像情報とから、符号情報の検出処理を実行する。
【００９０】
具体的には、入力された歪み角に基づいて、０または１の画素値を取り出す（ビットの０または１に対応している）。次に、取り出されたビット列の中から同期符号を見つけ出す。同期符号とは、所定の縦横サイズの矩形領域の外周がすべてビット１で構成されている符号として定義されている。この同期符号に囲まれたビット列が符号情報に対応している。このビット列を一次元のビット列に並べ替えて誤り訂正復号部１０５８に出力する。
【００９１】
誤り訂正復号部１０５８は、符号検出部１０５７、及び制御部１１００に接続している。誤り訂正復号部１０５８は、符号検出部１０５７から取得した符号情報に対して誤り訂正復号処理を実行し、誤り訂正復号を行った符号情報を制御部１１００へ出力する。
【００９２】
ここで、図２に戻り引き続き画像処理装置１０００の説明を続ける。
画像蓄積部１０６０は、例えば、ハードディスク、又はフラッシュメモリ等の外部記憶装置で構成される記憶部を有し、画像展開部１０１０、読取画像処理部１０３０、及び制御部１１００に接続している。画像蓄積部１０６０は、画像展開部１０１０及び読取画像処理部１０３０から原稿画像を取得する。また、画像蓄積部１０６０は、制御部１１００に制御されて、取得した原稿画像を画像蓄積部１０６０の有する記憶部に蓄積する。
【００９３】
出力部１０７０は、例えば、プリンタで構成され、画像蓄積部１０６０及び制御部１１００に接続している。出力部１０７０は、制御部１１００に制御されて画像蓄積部１０６０から画像を取得し、取得した画像を、例えば、印刷用紙又は板等の印刷媒体に印刷出力する。
【００９４】
特に、本実施例では、出力部１０７０は、画像蓄積部１０６０から取得した複数の画像を１の印刷媒体の同一印刷面に印刷する場合について説明する。具体例を挙げると、出力部１０７０は、１の印刷用紙の同一印刷面（つまり、表面又は裏面のいずれか）に原稿文書を構成する２頁から取得した２つの原稿画像を印刷する（いわゆる２アップ印刷）として説明する。
【００９５】
上記実施例においては、出力部１０７０は、例えば、プリンタで構成され、かつ画像蓄積部１０６０から取得した画像を、例えば、印刷用紙等の媒体に印刷出力するとして説明したが、これに限定される訳ではない。出力部１０７０は、例えば、ネットワークカード、ＵＳＢ（Universal Serial Bus）カードで構成され、画像蓄積部１０６０から取得した画像を、例えば、出力部１０７０に接続されたネットワークを通じて送信する、又は接続された外部記憶装置に出力する構成を採用できる。
【００９６】
制御部１１００について説明する前に、入力部１１１０及び表示部１１２０について説明する。
入力部１１１０は、例えば、キーボード、タッチパネル、ポインティングディバイス、又はボタンで構成され、制御部１１００に接続している。入力部１１１０は、画像処理装置１０００の使用者に操作されて、制御情報等の各種情報、及び各種命令を入力する。
【００９７】
表示部１１２０は、例えば、液晶パネル又はＣＲＴ（Cathode  Ray  Tube）で構成され、制御部１１００に接続している。表示部１１２０は、制御部１１００に制御されて各種の情報を表示する。
【００９８】
尚、遠隔端末９０００の有する入力部及び画像処理装置１０００の有する入力部１１１０を、以下単に、入力部１１１０等と言う。また、遠隔端末９０００の有する表示部及び画像処理装置１０００の有する表示部１１２０を、以下単に、表示部１１２０等と言う。
【００９９】
制御部１１００は、地紋画像検出部１０４０、情報取得部１０５０、画像蓄積部１０６０、及び出力部１０７０に接続している。制御部１１００は、地紋画像検出部１０４０、情報取得部１０５０、画像蓄積部１０６０、及び出力部１０７０を制御する。
【０１００】
制御部１１００は、画像処理装置１０００が複写又は画像出力機能を提供する際に、画像処理装置１０００を構成する各部の実行する処理を制御する。ここで、図９から１７を参照して、制御部１１００が実行する制御処理について説明する。
【０１０１】
図９は、画像処理装置１０００が複写機能を提供する場合に、制御部１１００が実行する制御処理（以下単に、複写制御処理と言う）の一例を表すためのフローチャートである。
【０１０２】
先ず、使用者は、画像処理装置１０００が複写機能を提供するために実行する複写処理の対象とする原稿文書を画像読取部１０２０に配置した後に、入力部１１１０等を操作することで複写機能の提供を命じる命令（以下単に、複写命令）を入力する。
【０１０３】
次に、制御部１１００は、入力部１１１０等が入力した複写命令を取得したか否かを判断する（ステップＳＴ００１）。制御部１１００は、入力部１１１０等が入力した複写命令を取得したと判断する場合にはステップＳＴ００２を、そうでない場合には図示は省略するが、所定時間スリープした後にステップＳＴ００１の処理を繰り返す。
【０１０４】
ステップＳＴ００１において、制御部１１００は、入力部１１１０等が入力した複写命令を取得したと判断した場合には、後述するフォーム画像蓄積処理を実行する（ステップＳＴ００２）。
【０１０５】
尚、フォーム画像蓄積処理とは、フォーム画像を取得する場合に制御部１１００が実行する制御処理である。また、フォーム画像は、制限画像に含まれる画像であって、かつ白紙画像でない画像を言う。更に、制限画像とは、原稿画像の出力を制限したことを表す画像であり、例えば、「禁複写」又は「社外秘」等の文字画像を含む。
【０１０６】
次に、制御部１１００は、原稿文書を構成する原稿画像であって、かつ後述するステップＳＴ００５で出力した命令に従って画像読取部１０２０が読取り対象としていない画像（以下単に、未取得の原稿画像と言う）が存在するか否かを判断する（ステップＳＴ００３）。制御部１１００は、未取得の原稿画像が存在すると判断する場合にはステップＳＴ００４の処理を、そうでない場合にはステップＳＴ００７の処理を実行する。
【０１０７】
ステップＳＴ００３において、制御部１１００は、未取得の原稿画像が存在すると判断した場合には、画像読取部１０２０に対して、複写対象とする原稿文書を構成する順番が最も若い（つまり、印刷媒体が重ねられた順番が最も上の）印刷媒体を１媒体だけ読取って印刷媒体に印刷された原稿画像（以下単に、次の原稿画像と言う）を取得するよう命令を出力する（ステップＳＴ００４）。
【０１０８】
次に、制御部１１００は、後述する蓄積制御処理を実行する（ステップＳＴ００５）。尚、蓄積制御処理は、画像読取部１０２０が読取った原稿画像を、又は原稿画像に代えて制限画像を蓄積するよう画像蓄積部１０６０を制御する処理である。
【０１０９】
その後、制御部１１００は、後述する蓄積制御処理において、画像処理装置１０００の使用者が中止処理を選択したか否かを判断する（ステップＳＴ００６）。制御部１１００は、画像処理装置１０００の使用者が中止処理を選択したと判断する場合には複写制御処理を終了する、そうでない場合にはステップＳＴ００３に戻り上記処理を繰り返す。
【０１１０】
ステップＳＴ００３において、制御部１１００は、未取得の原稿画像が存在しないと判断した場合には、ステップＳＴ００５で実行した蓄積制御処理において蓄積した画像（以下単に、蓄積画像と言う）の全てが、制限画像であるか否かを判断する（ステップＳＴ００７）。制御部１１００は、全蓄積画像が制限画像であると判断する場合には、ステップＳＴ００８の処理を実行し、そうでない場合にはステップＳＴ０１１の処理を実行する。
【０１１１】
ステップＳＴ００７において、制御部１１００は、全蓄積画像が制限画像であると判断した場合には、後述する文書出力確認画面を表示するよう表示部１１２０等を制御する（ステップＳＴ００８）。次に、制御部１１００は、入力部１１１０等から複写制御処理の実行を命じる命令又は中止を命じる命令（中止命令）を取得する（ステップＳＴ００９）。
【０１１２】
ステップＳＴ００７において、制御部１１００は、入力部１１１０等から中止命令を取得したか否かを判断する（ステップＳＴ０１０）。制御部１１００は、中止命令を取得したと判断する場合には複写制御処理を終了する、そうでない場合にはテップＳＴ０１０の処理を実行する。
【０１１３】
ステップＳＴ００７において、制御部１１００は、全蓄積画像が制限画像でないと判断した場合、又はステップＳＴ０１０において、中止命令を取得しないと判断した場合には、後述する印刷制御処理の実行対象としていない蓄積画像（以下単に、未出力の蓄積画像と言う）が存在するか否か判断する（ステップＳＴ０１１）。
【０１１４】
制御部１１００は、未出力の蓄積画像があると判断する場合にはステップＳＴ０１２の処理を、そうでない場合には複写制御処理の実行を終了する。尚、印刷制御処理は、蓄積画像を印刷出力するよう出力部１０７０等を制御する処理である。
【０１１５】
ステップＳＴ０１１において、制御部１１００は、未出力の蓄積画像が存在すると判断した場合には、未処理の蓄積画像から蓄積された順が若い順に出力部１０７０が印刷媒体の同一印刷面に印刷出力する蓄積画像（以下単に、次の印刷面に印刷する画像と言う）を取得する（ステップＳＴ０１２）。具体的例としては、出力部１０７０が印刷用紙の同一印刷面に２頁分の画像を印刷（いわゆる２アップ印刷）する場合には、未出力の蓄積画像であって、かつ蓄積された順番が若い順に２つの蓄積画像を次の印刷面に印刷する画像とする。
【０１１６】
その後、制御部１１００は、次の印刷面に印刷する画像に対して、後述する印刷制御処理を実行する（ステップＳＴ０１３）。次に、制御部１１００は、ステップＳＴ０１１に戻り上記処理を繰り返す。
【０１１７】
次に、図１０を参照して、制御部１１００が実行するフォーム画像蓄積処理について説明する。図１０は、制御部１１００が実行するフォーム画像蓄積処理の一例を表すフローチャートである。
【０１１８】
先ず、制御部１１００は、後述するフォーム画像選択画面を表示するよう表示部１１２０等を制御する（ステップＳＴ１０１）。尚、フォーム画像選択画面は、使用者が入力部１１１０等を操作して入力したフォーム画像を特定するための情報（以下単に、フォーム画像特定情報と言う）を表示する画面である。
【０１１９】
次に、制御部１１００は、使用者が入力部１１１０等を操作して入力したフォーム画像特定情報を取得する（ステップＳＴ１０２）。フォーム画像特定情報は、原稿文書の有する頁番号を含む。よって、使用者は入力部１１１０等を操作してフォーム画像が印刷された印刷用紙の頁番号を入力する。
【０１２０】
次に、制御部１１００は、フォーム画像特定情報として取得した頁番号を有する印刷用紙に印刷された原稿画像（つまり、フォーム画像）を取得するよう画像読取部１０２０を制御する（ステップＳＴ１０３）。尚、原稿文書を構成する印刷用紙に印刷された原稿画像を画像読取部１０２０が読込む順番と、原稿文書の有する頁番号とが一致していることを前提としている。
【０１２１】
次に、制御部１１００は、画像読取部１０２０がフォーム画像を取得したか否かを判断する（ステップＳＴ１０４）制御部１１００は、フォーム画像を取得しなかったと判断する場合にはステップＳＴ１０１に戻り上記処理を繰り返し、そうでない場合にはステップＳＴ１０５の処理を実行する。
【０１２２】
尚、画像読取部１０２０がフォーム画像を取得しなかった場合の具体例としては、フォーム画像特定情報が頁番号であって、かつ原稿画像の有する頁総数を超えている場合が挙げられる。
【０１２３】
ステップＳＴ１０４において、制御部１１００は、フォーム画像を取得したと判断する場合には、ステップＳＴ１０３で読取ったフォーム画面を蓄積するよう画像蓄積部１０６０を制御する（ステップＳＴ１０５）。
【０１２４】
上記実施形態では、制御部１１００は、画像読取部１０２０が読取った画像を取得してフォーム画像とする場合について説明したが、これに限定される訳ではなく、例えば、ＲＯＭ１００２又はＲＡＭ１００３が予め記憶する画像、若しくは、例えば、パーソナルコンピュータ等で作成した画像であって、かつ外部記憶部１００４に保存された画像を取得してフォーム画像とする構成を採用できる。  
【０１２５】
特に、外部記憶部１００４は、画像処理装置１０００とＵＳＢ規格のバス１００５を解してホットドッキングした外部記憶装置であり、かつフォーム画像は、ホットドッキングした外部記憶部１００４が記憶する情報に基づいて画像展開部１０１０が展開した画像である構成を採用できる。
【０１２６】
次に、図１１を参照して、ステップＳＴ１０１で表示部１１２０等に表示させるフォーム画像選択画面について説明する。図１１は、フォーム画像選択画面の一例を表す図である。
【０１２７】
図１１に示すフォーム画像選択画面ＦＦＳは、特定情報テキストボックスＴＢＤ及び特定情報確定ボタンＢＣＤを有している。
【０１２８】
特定情報テキストボックスＴＢＤは、使用者が入力部１１１０等を操作して入力したフォーム画像特定情報を表示する。
【０１２９】
特定情報確定ボタンＢＣＤは、フォーム画像特定情報を入力するために行う操作であって、使用者の入力部１１１０等に対する操作が終了したことを表す信号を入力できることを表すボタン表示である。
【０１３０】
次に、図１２を参照して、蓄積制御処理について説明する。図１２は、実施例１において制御部１１００が実行する蓄積制御処理の一例を表すフローチャートである。
【０１３１】
先ず、制御部１１００は、原稿画像から背景地紋画像を検出したか否かを判断する（ステップＳＴ２０１）。ステップＳＴ２０１の処理は、ステップＳＴ１０５の処理と同様であるので説明を省略する。制御部１１００は、原稿画像から背景地紋画像を検出したと判断する場合には、ステップＳＴ２０３の処理を、そうでない場合にはステップＳＴ２０２の処理を実行する。
【０１３２】
ステップＳＴ２０１において、制御部１１００は、原稿画像から背景地紋画像を検出しないと判断した場合、又はステップＳＴ２０３において、パスワード認証の必要がないと判断した場合には、画像蓄積部１０６０へ原稿画像を蓄積するよう命じる命令を出力する（ステップＳＴ２０２）。その後、制御部１１００は、蓄積制御処理を終了する。
【０１３３】
ステップＳＴ２０１において、制御部１１００は、原稿画像から背景地紋画像を検出したと判断した場合には、パスワード認証の必要があるか否かを判断する（ステップＳＴ２０３）。
【０１３４】
尚、制御部１１００は、例えば、制御情報を検査し、制御情報がパスワード認証を要求する情報、及びパスワード認証をクリアするパスワードを含むと判断する場合に、パスワード認証が必要であると判断する。
【０１３５】
制御部１１００は、パスワード認証の必要があると判断する場合には、ステップＳＴ２０４の処理を、そうでない場合にはステップＳＴ２０２の処理を実行する。
【０１３６】
ステップＳＴ２０３において、制御部１１００は、パスワード認証の必要があると判断する場合には、後述する個別選択動作取得処理を実行する。個別選択動作取得処理は、パスワード認証の必要がある個々の原稿画像に対して制御部１１００が実行する動作処理であって、使用者が選択した動作処理（以下単に、個別選択動作と言う）を取得するために実行する処理である。
【０１３７】
尚、本実施例では、個別選択動作は、パスワード認証を行う動作処理（以下単に、パスワード認証処理と言う）、パスワード認証をせず、かつ出力が制限される原稿画像に代えて白紙画像を画像蓄積部１０６０に蓄積する処理（以下単に、白紙画像蓄積処理と言う）、制限される原稿画像に代えてフォーム画像を画像蓄積部１０６０に蓄積する処理（以下単に、フォーム画像蓄積処理と言う）、制限される原稿画像を蓄積しない処理（以下単に、読み飛ばし処理と言う）、複写制御処理を中止する処理（以下単に、中止処理と言う）を含む。
【０１３８】
次に、制御部１１００は、個別選択動作取得処理で選択された個別選択動作がパスワード認証処理であるか否かを判断する（ステップＳＴ２０５）。制御部１１００は、個別選択動作がパスワード認証処理であると判断する場合にはステップＳＴ２０６の処理を実行し、そうでない場合にはステップＳＴ２０７の処理を実行する。
【０１３９】
ステップＳＴ２０５において、制御部１１００は、個別選択動作がパスワード認証処理であると判断した場合には、画像蓄積部１０６０へ原稿画像を蓄積するよう命じる命令を出力する（ステップＳＴ２０６）。その後、制御部１１００は、蓄積制御処理を終了する。
【０１４０】
ステップＳＴ２０５において、制御部１１００は、個別選択動作がパスワード認証処理でないと判断した場合には、個別選択動作が白紙画像蓄積処理であるか否かを判断する（ステップＳＴ２０７）。制御部１１００は、個別選択動作が白紙画像蓄積処理であると判断する場合にはステップＳＴ２０８の処理を実行し、そうでない場合にはステップＳＴ２０９の処理を実行する。
【０１４１】
ステップＳＴ２０７において、制御部１１００は、個別選択動作が白紙画像蓄積処理であると判断した場合には、画像蓄積部１０６０へ白紙画像を蓄積するよう命じる命令を出力する（ステップＳＴ２０８）。その後、制御部１１００は、蓄積制御処理を終了する。
【０１４２】
尚、本実施例において、白紙画像は、予め画像蓄積部１０６０の所定のディレクトリに保存された白紙画像である。また、制御部１１００は、予め保存された白紙画像をコピーする等して、画像読取部１０２０が原稿画像を読取った順序を害することなく、パスワード認証を行わないことにより出力が制限された原稿画像に代えて白紙画像を蓄積するよう画像蓄積部１０６０を制御する。
【０１４３】
上記実施例では、白紙画像は、予め画像蓄積部１０６０の所定のディレクトリに保存された画像であるとして説明したが、これに限定される訳ではなく、ソフトウェア制御に従って生成される白紙画像である構成を採用できる。
【０１４４】
また、上記実施例では、制御部１１００は、白紙画像をコピーする等して、画像読取部１０２０が原稿画像を読取った順序を害することなく、出力が制限された原稿画像に代えて白紙画像を蓄積するよう画像蓄積部１０６０を制御する場合について説明したが、これに限定される訳ではない。例えば、制御部１１００は、原稿画像を構成する画素値の全てを白色を表す画素に変換することで、原稿画像に代えて白紙画像を蓄積するよう制御する実施形態を採用できる。
【０１４５】
ステップＳＴ２０７において、制御部１１００は、個別選択動作が白紙画像蓄積処理でないと判断した場合には、個別選択動作がフォーム画像蓄積処理であるか否かを判断する（ステップＳＴ２０９）。制御部１１００は、個別選択動作がフォーム画像蓄積処理であると判断する場合にはステップＳＴ２１０の処理を、そうでない場合にはステップＳＴ２１１の処理を実行する。
【０１４６】
ステップＳＴ２０９において、制御部１１００は、個別選択動作がフォーム画像蓄積処理であると判断した場合には、画像蓄積部１０６０へフォーム画像を蓄積するよう命じる命令を出力する（ステップＳＴ２１０）。その後、制御部１１００は、蓄積制御処理を終了する。
【０１４７】
尚、本実施例において、制御部１１００は、フォーム画像蓄積処理の実行により予め取得したフォーム画像をコピーする等して、画像読取部１０２０が原稿画像を読取った順序を害することなく、出力が制限された原稿画像に代えてフォーム画像を蓄積するよう画像蓄積部１０６０を制御する。
【０１４８】
ステップＳＴ２０９において、制御部１１００は、個別選択動作がフォーム画像蓄積処理でないと判断した場合には、個別選択動作が読み飛ばし処理であるか否かを判断する（ステップＳＴ２１１）。制御部１１００は、個別選択動作が読み飛ばし処理であると判断する場合には蓄積制御処理を終了し、そうでない場合にはステップＳＴ２１２の処理を実行する。
【０１４９】
ステップＳＴ２０７において、制御部１１００は、個別選択動作が読み飛ばし処理でないと判断した場合には、個別選択動作処理が中止処理であると判断する（ステップＳＴ２１２）。その後、制御部１１００は、蓄積制御処理を終了する。
【０１５０】
次に、図１３を参照して、個別選択動作取得処理について説明する。図１３は、実施例１において制御部１１００が実行する個別選択動作取得処理の一例を説明するためのフローチャートである。
【０１５１】
先ず、制御部１１００は、個別動作選択画面を表示するよう表示部１１２０等を制御する（ステップＳＴ３０１）。尚、個別動作選択画面は、個別選択動作として選択可能な動作処理等を表示する画面である。
【０１５２】
次に、制御部１１００は、入力部１１１０等から使用者が操作して入力した個別選択動作を取得する（ステップＳＴ３０２）。次に、制御部１１００は、取得した個別選択動作が、パスワード認証処理であるか否かを判断する（ステップＳＴ３０３）。制御部１１００は、取得した個別選択動作が、パスワード認証処理であると判断する場合にはステップＳＴ３０４の処理を、そうでない場合には個別選択動作取得処理を終了する。
【０１５３】
ステップＳＴ３０３において、制御部１１００は、取得した個別選択動作が、パスワード認証処理であると判断した場合には、使用者が入力部１１１０を操作することで入力したパスワードを取得する（ステップＳＴ３０４）。
【０１５４】
次に、制御部１１００は、ステップＳＴ３０４で取得したパスワードに基づいてパスワード認証をクリアしたか否かを判断する（ステップＳＴ３０５）。制御部１１００は、パスワード認証をクリアしたと判断する場合には個別選択動作取得処理を終了する、そうでない場合にはステップＳＴ３０１に戻り上記処理を繰り返す。
【０１５５】
尚、パスワード認証をクリアするか否かを判断する方法の具体例としては、制御部１１００は、制御情報に含まれるパスワード認証をクリアするパスワードと、使用者が入力部１１１０等を操作して入力したパスワードをとを比較し、比較した両者が一致する場合にパスワード認証をクリアすると判断する。
【０１５６】
ここで、図１４を参照して、個別動作選択画面ＦＩについて説明する。図１４は、表示部１１２０等が表示する個別動作選択画面ＦＩの一例を表す図である。
【０１５７】
個別動作選択画面ＦＩは、パスワードテキストボックスＴＰ、パスワード確定ボタンＢＣ、白紙挿入ボタンＢＢ、フォーム挿入ボタンＢＦ、読み飛ばしボタンＢＳ、及び中止ボタンＢＡで構成される。
【０１５８】
個別動作選択画面ＦＩが有するパスワードテキストボックスＴＰ及びパスワード確定ボタンＢＣは、
パスワードテキストボックスＴＰは、使用者が入力部１１１０等を操作して入力したパスワードを表示する。
【０１５９】
パスワード確定ボタンＢＣは、パスワードを入力するために行う操作であって、使用者の入力部１１１０等に対する操作が終了したことを表す信号を入力できることを表すボタン表示である。
【０１６０】
パスワード確定ボタンＢＣ、白紙挿入ボタンＢＢ、フォーム挿入ボタンＢＦ、読み飛ばしボタンＢＳ、及び中止ボタンＢＡは、それぞれ個別選択動作として、パスワード認証処理、白紙画像挿入処理、フォーム画像蓄積処理、読み飛ばし処理、中止処理を選択する信号を入力部１１１０等を操作することで排他的に入力できることを表すボタン表示である。
【０１６１】
次に、図１５を参照して、印刷制御処理について説明する。図１５は、制御部１１００が実行する印刷制御処理の一例を説明するためのフローチャートである。
【０１６２】
先ず、制御部１１００は、次の印刷面に印刷する画像の全てが制限画像であるか否かを判断する（ステップＳＴ４０１）。制御部１１００は、次の印刷面に印刷する画像の全てが制限画像であると判断する場合にはステップ４０２の処理を実行し、そうでない場合にはステップ４０５の処理を実行する。
【０１６３】
ステップＳＴ４０１において、制御部１１００は、次の印刷面に印刷する画像の全てが制限画像であると判断する場合には、印刷問合画面を表示するよう表示部１１２０等を制御する（ステップＳＴ４０２）。尚、印刷問合画面は、使用者が入力部１１１０等を操作して印刷の許否を入力できることを表す画面表示である。
【０１６４】
次に、制御部１１００は、入力部１１１０等から印刷出力の許否を取得する（ステップＳＴ４０３）。
【０１６５】
その後、制御部１１００は、ステップＳＴ４０３で入力部１１１０等から取得した印刷出力の許否に基づいて印刷出力を許可するか否かを判断する（ステップＳＴ４０４）。制御部１１００は、印刷出力を許可すると判断する場合にはステップＳＴ４０５の処理を、そうでない場合には印刷制御処理を終了する。
【０１６６】
ステップＳＴ４０４において、制御部１１００は、印刷出力を許可すると判断した場合、又はステップＳＴ４０１において、次の印刷面に印刷する画像の全てが制限画像でないと判断した場合には、出力部１０７０へ、次の印刷面に印刷する画像を印刷出力するよう命じる命令を出力する（ステップＳＴ４０５）。その後、制御部１１００は、印刷制御処理を終了する。
【０１６７】
上記実施形態では、ステップＳＴ４０１において、制御部１１００は、次の印刷面に印刷する画像の全てが制限画像であると判断する場合には常にステップＳＴ４０２からステップＳＴ４０４の処理を実行するとして説明したが、これに限定される訳ではない。
【０１６８】
例えば、制御部１１００は、既にステップＳＴ４０２からステップＳＴ４０４の処理を実行し、かつステップＳＴ４０４において印刷出力を許可すると判断した場合、又は図９を用いて説明した複写制御処理のステップ０１０において全蓄積画像が制限画像である場合でも出力処理の実行を命じる命令を取得したと判断した場合には、ステップＳＴ４０２からステップＳＴ４０４の処理を実行せずに常にステップＳＴ４０５処理（出力部１０７０へ画像を印刷出力するよう命令する処理）を実行する構成を採用できる。
【０１６９】
ここで、図１６を参照して印刷問合画面について説明する。図１６は、表示部１１２０等が表示する印刷問合画面ＦＱの一例を説明するための図である。
【０１７０】
印刷問合画面ＦＱは、次の印刷面に印刷する画像の全てが制限画像である旨のメッセージを表示する。また、使用者は、入力部１１１０等を操作して次の印刷面に印刷する画像に対する印刷出力の許否を入力するよう促すメッセージを表示する。
【０１７１】
印刷問合画面ＦＱは、許可ボタンＢＹ及び拒否ボタンＢＮを有している。許可ボタンＢＹ及び拒否ボタンＢＮは、使用者が入力部１１１０等を操作して次の印刷面に印刷する画像に対する印刷出力の許可及び拒否を入力できることを表すボタン表示である。
【０１７２】
本実施例においては、画像展開部１０１０及び画像読取部１０２０が画像取得手段に相当し、情報取得部１０５０が情報取得手段に相当し、入力部１１１０が入力手段に相当し、出力部１０７０が出力手段に相当し、制御部１１００が制御手段に相当する。
【０１７３】
以下、本発明の第２の実施形態について説明する。
第２の実施例においては、出力が制限される原稿画像を検出する毎に、原稿画像に対する動作処理を取得する必要がない画像処理装置の実施形態について説明する。
【実施例２】
【０１７４】
第２の実施形態における画像処理装置は、第１の実施形態における画像処理装置１０００とほぼ同一の構成及び機能を有する。よって、第１の実施形態との差異について主に説明する。
【０１７５】
まず、図１７を参照して、実施例２における個別選択動作取得処理について説明する。図１７は、実施例２において、制御部１１００が実行する選択動作取得処理の一例を表すフローチャートである。
【０１７６】
先ず、制御部１１００は、共通選択動作を既に取得しているか否かを判断する（ステップＳＴ５０１）。共通選択動作は、パスワード認証の必要がある全ての原稿画像に対して制御部１１００が実行する動作処理であって、ユーザが選択した動作処理を言う。
【０１７７】
尚、本実施例では、共通選択動作は、共通のパスワードを用いてパスワード認証をクリアする全ての原稿画像を蓄積する処理（以下単に、共通パスワード認証処理と言う）、パスワード認証をせず、かつ出力が制限される全ての原稿画像に代えて白紙画像を画像蓄積部１０６０に蓄積する処理（以下単に、共通白紙画像蓄積処理と言う）、制限される全ての原稿画像に代えてフォーム画像を画像蓄積部１０６０に蓄積する処理（以下単に、共通フォーム画像蓄積処理と言う）、制限される全ての原稿画像を蓄積しない処理（以下単に、共通読み飛ばし処理と言う）、及び出力が制限される原稿画像を検出する毎に個別選択動作を取得する処理（以下単に、個別取得処理と言う）を含む。
【０１７８】
制御部１１００は、共通選択動作を既に取得していると判断する場合にはステップＳＴ５０７の処理を、そうでない場合にはステップＳＴ５０２の処理を実行する。
【０１７９】
ステップＳＴ５０１において、制御部１１００は、共通選択動作を取得していないと判断した場合には、共通動作選択画面を表示するよう表示部１１２０を制御する（ステップＳＴ５０２）。共通動作選択画面は、ユーザが入力部１１１０等を操作して入力できる共通選択動作を表示する画面である。
【０１８０】
次に、制御部１１００は、入力部１１１０等が入力した共通選択動作を取得する（ステップＳＴ５０３）。その後、制御部１１００は、ステップＳＴ５０３で取得した共通選択動作が共通パスワード認証処理であるか否かを判断する（ステップＳＴ５０４）。制御部１１００は、取得した共通選択動作が共通パスワード認証処理であると判断する場合にはステップＳＴ５０５の処理を実行する。
【０１８１】
ステップＳＴ５０４において、制御部１１００は、共通選択動作が共通パスワード認証処理であると判断した場合には、パスワード画面を表示する（ステップＳＴ５０５）。尚、パスワード画面は、使用者が入力部１１１０等を操作して入力したパスワードを表示する画面である。
【０１８２】
次に、制御部１１００は、ユーザが入力部１１１０等を操作して入力したパスワードを取得する（ステップＳＴ５０６）。その後、制御部１１００は、ステップＳＴ５０６で取得したパスワードによって認証条件をクリアするか否かを判断する（ステップＳＴ５０７）。制御部１１００は、認証条件をクリアすると判断する場合には上記ステップＳＴ５０１の処理を、そうでない場合にはステップＳＴ５０１に戻り上記ステップを繰り返す。
【０１８３】
尚、パスワード認証をクリアするか否かを判断する処理については、ステップＳＴ１０９において実行する処理と同様なので詳細な説明を省略する。
【０１８４】
ステップＳＴ５０１において、制御部１１００は、共通選択動作を取得していると判断した場合には、共通選択動作が個別取得処理であるか否かを判断する。制御部１１００は、共通選択動作が個別取得処理であると判断する場合には個別選択動作取得処理を実行する、そうでない場合にはステップＳＴ５１４の処理を実行する。
【０１８５】
ステップＳＴ５０７において、共通選択動作が個別取得処理であると判断した場合には、ステップＳＴ５０８からＳＴ５１２の処理を実行する（ステップＳＴ５０８からステップＳＴ５１２）。尚、ステップＳＴ５０８からステップＳＴ５１２の処理は、ステップＳＴ３０１からステップＳＴ３０５の処理と同様なので説明を省略する。
【０１８６】
ステップＳＴ５１０において、制御部１１００は、個別選択動作がパスワード認証処理ではないと判断した場合、又はステップＳＴ５１２において、パスワード認証をクリアしたと判断した場合には、個別選択動作取得処理を終了する。
【０１８７】
ステップＳＴ５０７において、共通選択動作が個別取得処理でない判断した場合には、共通選択動作を個別選択動作とする（ステップＳＴ５１４）。その後、制御部１１００は個別選択動作取得処理を終了する。
【０１８８】
つまり、共通選択動作が共通パスワード認証処理である場合には個別選択動作をパスワード認証処理とし、共通選択動作が共通白紙画像蓄積処理である場合には白紙画像蓄積処理とし、共通選択動作が共通フォーム画像蓄積処理である場合にはフォーム画像蓄積処理とし、共通選択動作が共通読み飛ばし処理である場合には共通読み飛ばし処理とする。
【０１８９】
次に、図１８を参照して、ステップＳＴ１０７で表示部１１２０等に表示させるパスワード画面について説明する。図１８は、パスワード画面の一例を表す図である。
【０１９０】
図１８に示すパスワード画面ＦＰは、パスワードテキストボックスＴＰ、及びパスワード確定ボタンＢＣを有している。
【０１９１】
パスワード画面ＦＰが有するパスワードテキストボックスＴＰ及びパスワード確定ボタンＢＣは、個別動作選択画面ＦＩが有するパスワードテキストボックスＴＰ及びパスワード確定ボタンＢＣと同様の表示機能を有するため、説明を省略する。
【０１９２】
次に、図１９を参照して、実施例２における蓄積制御処理について説明する。図１９は、実施例２において、制御部１１００が実行する蓄積制御処理の一例を表すフローチャートである。
【０１９３】
制御部１１００は、ステップＳＴ６０１から６１２の処理を実行するが、ステップＳＴ６０１から６０３、６０５、及び６０６から６１２の処理は、ステップＳＴ２０１から２０３、２０５、及び２０６から２１２の処理と同様であるので説明を省略する。
【０１９４】
また、ステップＳＴ６０４で制御部１１００が実行する個別選択動作取得処理は、図１７を用いて説明した個別選択動作取得処理であるので説明を省略する。
【０１９５】
よって、ステップＳＴ６０５１について説明する。ステップＳＴ６０５において、制御部１１００は、個別選択動作がパスワード認証処理であると判断した場合には、制御情報に基づいてパスワード認証をクリアすると判断するパスワードと、個別選択動作取得処理のステップＳＴ５０６において取得したパスワードとが異なるパスワードであるか否かを判断する（ステップＳＴ６０５１）。制御部１１００は、異なるパスワードであると判断する場合には原稿画像を蓄積するよう画像蓄積部１０６０を制御せずに蓄積制御処理を終了し、そうでない場合にはステップＳＴ５０６の処理を実行する。
【０１９６】
上記実施形態では、ステップＳＴ６０５１において、制御部１１００は、制御情報に基づいてパスワード認証をクリアすると判断するパスワードと、個別選択動作取得処理のステップＳＴ５０６において取得したパスワードとが異なるパスワードであると判断した場合には、原稿画像及び制御画像を蓄積するよう画像蓄積部１０６０を制御せずに蓄積制御処理を終了するとして説明したが、これに限定される訳ではない。
【０１９７】
例えば、制御部１１００は、図１８を用いて説明したパスワード画面ＦＰを表示するよう表示部１１２０等を再度制御し、かつ入力部１１１０等から入力された異なるパスワードと、制御情報に基づいてパスワード認証をクリアすると判断するパスワードとを比較し、両者が一致する場合には原稿画像を蓄積するよう画像蓄積部１０６０を制御し、一致しない場合には上記処理を繰り返す構成を採用できる。
【０１９８】
また例えば、制御部１１００は、ステップＳＴ６０４に戻り、個別選択動作取得処理を再度実行する構成を採用できる。
【０１９９】
更に例えば、制御部１１００は、原稿画像に代えて白紙画像又はフォーム画像を蓄積するよう画像蓄積部１０６０を制御する構成を採用できる。
【０２００】
ここで、図２０を参照して、共通処理選択画面ＦＣについて説明する。図２０は、表示部１１２０が表示する共通処理選択画面ＦＣの一例を表す図である。
【０２０１】
共通処理選択画面ＦＣは、共通白紙挿入ボタンＢＣＢ、共通フォーム挿入ボタンＢＣＦ、共通読み飛ばしボタンＢＣＳ、共通パスワード認証ボタンＢＣＰ、及び個別選択ボタンＢＩＳで構成される。
【０２０２】
共通白紙挿入ボタンＢＣＢ、共通フォーム挿入ボタンＢＣＦ、共通読み飛ばしボタンＢＣＳ、共通パスワード認証ボタンＢＣＰ、及び個別選択ボタンＢＩＳ
は、それぞれ共通選択動作として、共通白紙画像挿入処理、共通フォーム画像蓄積処理、共通読み飛ばし処理、共通パスワード認証処理、及び個別選択取得処理を選択する信号を入力部１１１０を操作することで排他的に入力できることを表すボタン表示である。
【０２０３】
上記実施形態では、制限画像として白紙画像を用いる場合について説明したがこれに限定されるわけではない。例えば、黒紙画像を用いる実施形態を採用できる。
【実施例３】
【０２０４】
以下、本発明の第３の実施形態について説明する。
第３の実施例においては、出力が制限される原稿画像と、例えば、黒紙画像である制限画像とを合成することで、原稿画像の表す情報を隠蔽して出力できる画像処理装置の実施形態について説明する。
【０２０５】
第３の実施形態における画像処理装置は、第１の実施形態における画像処理装置１０００とほぼ同一の構成及び機能を有する。よって、第１の実施形態との差異について主に説明する。
【０２０６】
まず、図２１を参照して、実施例３における画像処理装置の実施形態について説明する。図２１は、実施例３における画像処理装置の実施形態を表す図である。
【０２０７】
図２１に表す画像処理装置１０００は、画像合成部１０５５を更に有する点で実施例１と異なる。
【０２０８】
読取画像処理部１０３０は、画像蓄積部１０６０ではなく画像合成部１０５５に接続する点で実施例１と異なる。読取画像処理部１０３０は、画像処理を行った画像を画像蓄積部１０６０ではなく画像合成部１０５５に出力する。
【０２０９】
画像合成部１０６０は、読取画像処理部１０３０、画像蓄積部１０６０、及び制御部１１００に接続している。画像合成部１０６０は、読取画像処理部１０３０が読取った原稿画像と、画像蓄積部１０６０が蓄積する制限画像とを制御部１１００の指示に従って合成、又は合成せずに画像蓄積部１０６０へ出力する。
【０２１０】
ここで、実施例３における制限画像は、実施例１で説明した制限画像と同様である。しかし、少なくとも合成される原稿画像が表す情報を隠蔽できる画像である点で実施例１と異なる。
【０２１１】
具体的には、画像処理装置１０００が白黒画像を出力する場合に、ほぼ全画素が黒画素（又は白画素）である黒紙画像（又は白紙画像）は、制限画像に含まれる。理由は、黒紙画像（又は白紙画像）と原稿画像とを合成することで、原稿画像が黒画素（又は白画素）で表す文字、図形、又は記号情報を視認不能にできるからである。
【０２１２】
別の具体例としては、「禁複写」等の原稿画像の出力を制限したことを表す文字、図形、又記号を含むフォーム画像は、制限画像に含まれる。理由は、そのようなフォーム画像と原稿画像とを合成することで、原稿画像が表す文字、図形、又は記号情報の一部又は全部を隠蔽できるからである。
【０２１３】
画像蓄積部１０６０は、読取画像処理部１０３０ではなく画像合成部１０５５に接続する点で実施例１と異なる。画像蓄積部１０６０の有する記憶部は、画像合成部１０５５によって、記憶した制限画像を参照される。
【０２１４】
画像蓄積部１０６０は、画像展開部１０１０及び画像合成部１０５５から原稿画像又は原稿画像と合成された制限画像を取得し、制御部１１００に制御されて、取得した画像を画像蓄積部１０６０の有する記憶部に蓄積する。
【０２１５】
制御部１１００は、画像合成部１０５５に接続する点で実施例１と異なる。以下、図２２を参照して、制御部１１００が実行する処理であって実施例１と異なる処理について主に説明する。図２２は、実施例３において、制御部１１００が実行する蓄積制御処理開始の一例を表すフローチャートである。
【０２１６】
先ず、原稿画像から背景地紋画像を検出したか否かを判断する（ステップＳＴ７０１）。ステップＳＴ７０１の処理は、ステップＳＴ２０１の処理と同様であるので説明を省略する。制御部１１００は、原稿画像から背景地紋画像を検出したと判断する場合には、ステップＳＴ７０３の処理を、そうでない場合にはステップＳＴ７２０の処理を実行する。
【０２１７】
ステップＳＴ７０１において、制御部１１００は、原稿画像から背景地紋画像を検出したと判断した場合には、パスワード認証の必要があるか否かを判断する（ステップＳＴ７０３）。尚、ステップＳＴ７０３の処理は、ステップＳＴ２０３の処理と同様なので説明を省略する。
【０２１８】
制御部１１００は、パスワード認証の必要があると判断する場合には、ステップＳＴ７０４の処理を、そうでない場合にはステップＳＴ７２０の処理を実行する。
【０２１９】
ステップＳＴ７０３において、制御部１１００は、パスワード認証の必要があると判断する場合には、ステップＳＴ７０４及び７０５の処理を実行する。尚、ステップＳＴ７０４及び７０５の処理は、図１２を参照して説明したステップＳＴ２０４及び２０５の処理と同様であるので説明を省略する。
【０２２０】
尚、実施例３においては、個別選択動作は、パスワード認証処理、パスワード認証をせず、かつ出力が制限される原稿画像と黒紙画像と合成して画像蓄積部１０６０に蓄積する処理（以下単に、黒紙画像合成処理と言う）、制限される原稿画像とフォーム画像とを合成して画像蓄積部１０６０に蓄積する処理（以下単に、フォーム画像合成処理と言う）、読み飛ばし処理、及び中止処理を含む。
【０２２１】
ステップＳＴ７０１において、制御部１１００は、原稿画像から背景地紋画像を検出しないと判断した場合、又はステップＳＴ７０３において、パスワード認証の必要がないと判断した場合には、画像合成部１０５５へ原稿画像と制限画像とを合成しないよう命じる命令を出力する（ＳＴ７２０）。次に、制御部１１００は、画像蓄積部１０６０へ制限画像と合成されていない原稿画像を蓄積するよう命じる命令を出力する（ステップＳＴ７２１）。その後、制御部１１００は、蓄積制御処理を終了する。
【０２２２】
ステップＳＴ７０５において、制御部１１００は、個別選択動作がパスワード認証処理であると判断した場合には、ステップＳＴ７２２及び７２３の処理を実行し、その後に蓄積制御処理を終了する。尚、ステップＳＴ７２２及び７２３の処理は、ステップＳＴ７２０及び７２１の処理と同様であるので説明を省略する。
【０２２３】
ステップＳＴ７０５において、制御部１１００は、個別選択動作がパスワード認証処理でないと判断した場合には、個別選択動作が黒紙画像合成処理であるか否かを判断する（ステップＳＴ７０７）。制御部１１００は、個別選択動作が黒紙画像合成処理であると判断する場合にはステップＳＴ７２４の処理を実行し、そうでない場合にはステップＳＴ７０９の処理を実行する。
【０２２４】
ステップＳＴ７０７において、制御部１１００は、個別選択動作が黒紙画像合成処理であると判断した場合には、画像合成部１０５５へ原稿画像と黒紙画像とを合成するよう命じる命令を出力する（ステップＳＴ７２４）。次に、制御部１１００は、画像蓄積部１０６０へ原稿画像と合成された黒紙画像である制限画像を蓄積するよう命じる命令を出力する（ステップＳＴ７２５）。その後、制御部１１００は、蓄積制御処理を終了する。
【０２２５】
ステップＳＴ７０７において、制御部１１００は、個別選択動作が黒紙画像蓄積処理でないと判断した場合には、個別選択動作がフォーム画像合成処理であるか否かを判断する（ステップＳＴ７０９）。制御部１１００は、個別選択動作がフォーム画像合成処理であると判断する場合にはステップＳＴ７２６の処理を、そうでない場合にはステップＳＴ７１１の処理を実行する。
【０２２６】
ステップＳＴ７０９において、制御部１１００は、個別選択動作がフォーム画像合成処理であると判断した場合には、画像合成部１０５５へ原稿画像とフォーム画像とを合成するよう命じる命令を出力する（ステップＳＴ７２６）。次に、制御部１１００は、画像蓄積部１０６０へ原稿画像と合成されたフォーム画像である制限画像を蓄積するよう命じる命令を出力する（ステップＳＴ７２７）。その後、制御部１１００は、蓄積制御処理を終了する。
【０２２７】
ステップＳＴ７０９において、制御部１１００は、個別選択動作がフォーム画像合成処理でないと判断した場合には、ステップＳＴ７１１及びステップＳＴ７１２の処理を実行する。その後、制御部１１００は、蓄積制御処理を終了する。尚、ステップＳＴ７１１及びステップＳＴ７１２の処理は、ステップＳＴ２１１及びステップＳＴ２１２の処理と同様であるので説明を省略する。
【０２２８】
次に、図２３を参照して、実施例３において表示部１１２０等が表示する個別動作選択画面について説明する。図２３は、表示部１１２０等が表示する個別動作選択画面の一例を表す図である。
【０２２９】
個別動作選択画面ＦＩ２は、パスワードテキストボックスＴＰ、パスワード確定ボタンＢＣ、黒紙合成ボタンＢＢＣ、フォーム合成ボタンＢＦＣ、読み飛ばしボタンＢＳ、及び中止ボタンＢＡで構成される。
【０２３０】
個別動作選択画面ＦＩ２が有するパスワードテキストボックスＴＰ及びパスワード確定ボタンＢＣは、実施例１において図１４を参照して説明した個別動作選択画面ＦＩが有するパスワードテキストボックスＴＰ及びパスワード確定ボタンＢＣと同様であるので説明を省略する。
【０２３１】
パスワード確定ボタンＢＣ、黒紙合成ボタンＢＢＣ、フォーム合成ボタンＢＦＣ、読み飛ばしボタンＢＳ、及び中止ボタンＢＡは、それぞれ個別選択動作として、パスワード認証処理、黒紙画像合成処理、フォーム画像合成処理、読み飛ばし処理、中止処理を選択する信号を入力部１１１０等を操作することで排他的に入力できることを表すボタン表示である。
【０２３２】
画像処理装置１０００は、機能的には、演算部１００１がＲＯＭ１００２、ＲＡＭ１００３、外部記憶部１００４の少なくともひとつに格納されたプログラムを実行することにより実現できる。また、このプログラムは、磁気ディスクや光ディスク、半導体メモリ、その他の記録媒体に格納して配布したり、ネットワークを介して配信したりすることにより提供できる。
【０２３３】
以上本発明の好ましい実施例について詳述したが、本発明は係る特定の実施例に限定されるものではなく、特許請求の範囲に記載された本発明の要旨の範囲内において、種々の変形、変更が可能である。
【０２３４】
上記実施形態では、外部記憶装置はハードディスク（Hard Disk）で構成されるとして説明したが、これに限定されるわけではなく、例えば、フレキシブルディスク、ＣＤ−ＲＯＭ（Compact Disc Read Only Memory）、ＤＶＤ−ＲＯＭ（Digital Versatile Disk Read Only Memory）、ＤＶＤ−ＲＡＭ（Digital Versatile Disk Random Access Memory）、ＭＯ（magneto-optic）、及び、フラッシュメモリ（flash memory）で構成される実施形式を採用できる。
【０２３５】
上記実施形態では、制限画像として白紙画像を用いる場合について説明したがこれに限定されるわけではない。例えば、白紙以外の単色紙画像を用いる実施形態を採用できる。
【０２３６】
上記実施形態では、制御画像は背景地紋画像で構成されるとして説明したが、これに限定される訳ではない。例えば、制御画像は、１次元バーコード、２次元コードであるＱＲコード、ＣＯＤＥ４９、ＣＯＤＥ１６Ｋ、ＰＤＦ４１７、及びマキシコードで構成される実施例を採用できる。
【０２３７】
上記実施形態では、制御部１１００は、パスワード認証の結果に基づいて原稿画像の出力を制限する場合について説明したが、これに限定される訳ではない。例えば、ユーザ情報及びパスワードを用いて認証を行うユーザ認証、指紋、眼球の奥の虹彩、音声等の情報を用いて認証を行うバイオメトリクス認証の結果に基づいて原稿画像の出力を制限する構成を採用できる。
【０２３８】
上記実施形態では、地紋画像検出部１０４０及び情報取得部１０５０が画像読取部１０２０に接続する場合について説明したが、これに限定される訳ではない。例えば、地紋画像検出部１０４０及び情報取得部１０５０が画像展開部１０１０と接続し、地紋画像検出部１０４０及び情報取得部１０５０は画像展開部１０１０が原稿画像を展開する度に展開された原稿画像を取得して制御画像の有無、及び制御画像が表す制御情報を制御部１１００へ出力する構成を採用できる。
【図面の簡単な説明】
【０２３９】
【図１】画像処理システムの一実施形態を示す構成図である。
【図２】実施例１における画像処理装置の実施形態を表す機能ブロック図である。
【図３】画像処理装置のハードウェア構成図である。
【図４】背景地紋画像の一例を説明するための図である。
【図５】符号を構成する特定画像の一例を説明するための図である。
【図６】制限符号の一例を説明するための図である。
【図７】地紋画像検出部の一実施例を表す機能ブロック図である。
【図８】情報取得部の一例を説明するための構成図である。
【図９】制御部が実行する複写制御処理の一例を表すためのフローチャートである。
【図１０】制御部が実行するフォーム画像蓄積処理の一例を表すフローチャートである。
【図１１】フォーム画像選択画面の一例を表す図である。
【図１２】実施例１において制御部が実行する蓄積制御処理の一例を表すフローチャートである。
【図１３】実施例１において制御部が実行する個別選択動作取得処理の一例を説明するためのフローチャートである。
【図１４】実施例１において表示部が表示する個別動作選択画面の一例を表す図である。
【図１５】制御部が実行する印刷制御処理の一例を説明するためのフローチャートである。
【図１６】表示部が表示する印刷問合画面の一例を説明するための図である。
【図１７】実施例２において制御部が実行する個別選択動作取得処理の一例を表すフローチャートである。
【図１８】パスワード画面の一例を表す図である。
【図１９】実施例２において制御部が実行する蓄積制御処理の一例を表すフローチャートである。
【図２０】表示部が表示する共通処理選択画面の一例を表す図である。
【図２１】実施例３における画像処理装置の実施形態を表す機能ブロック図である。
【図２２】実施例３において制御部が実行する蓄積制御処理の一例を表すフローチャートである。
【図２３】実施例３において表示部が表示する個別動作選択画面の一例を表す図である。
【符号の説明】
【０２４０】
１０…画像処理システム
１００…通信網
１０００…画像処理装置
１００１…演算部
１００２…ＲＯＭ
１００３…ＲＡＭ
１００４…外部記憶部
１００５…バス
１０１０…画像展開部（画像取得手段）
１０２０…画像読取部（画像取得手段）
１０３０…読取画像処理部
１０４０…地紋画像検出部
１０４１…黒白階調変換部
１０４２…二値化処理装置
１０４３…雑音除去処理部
１０４４…特定画像検出部
１０４５…区分処理部
１０４６……個数算出装置
１０４７……比率算出装置
１０４８……判定処理装置
１０５０…情報取得部（情報取得手段）
１０５１…黒白階調変換部
１０５２…二値化処理装置
１０５３…雑音除去処理部
１０５４…特定画像検出部
１０５５……バッファメモリ
１０５６…歪み角検出部
１０５７…コード検出部
１０５８…誤り訂正復号部
１０６０…画像蓄積部
１０７０…出力部（出力手段）
１１００…制御部（制御手段）
１１１０…入力部（入力手段）
１１２０…表示部
９０００〜ｎ…遠隔端末
ＡＣ１〜４…符号領域
ＡＣＳ…共通選択領域
ＡＩＳ…個別選択領域
ＡＳ１〜４…同期符号領域
ＢＡ…中止ボタン
ＢＢ…白紙挿入ボタン
ＢＢ…黒紙合成ボタン
ＢＣ…パスワード確定ボタン
ＢＣＢ…共通白紙挿入ボタン
ＢＣＤ…特定情報確定ボタン
ＢＣＦ…共通フォーム挿入ボタン
ＢＣＰ…共通パスワード認証ボタン
ＢＣＳ…共通読み飛ばしボタン
ＢＦ…フォーム挿入ボタン
ＢＦＣ…フォーム合成ボタン
ＢＩＳ…個別選択ボタン
ＢＮ…拒否ボタン
ＢＳ…読み飛ばしボタン
ＢＹ…許可ボタン
ＣＤ１〜４…情報符号
ＣＰ０１，０２，０３，１１，１２…制限符号
Ｄ…走査方向
ＦＣ…共通処理選択画面
ＦＦＳ…フォーム画像選択画面
ＦＩ，ＦＩ２…個別動作選択画面
ＦＰ…パスワード画面
ＦＱ…印刷問合画面
ＩＰ１〜１０…潜像画像
Ｏ…出力画像
ＰＢ…地紋画像
ＰＳ０…斜線画像（Ｂｉｔ０）
ＰＳ１…斜線画像（Ｂｉｔ１）
ＴＢD…特定情報テキストボックス
ＴＰ…パスワードテキストボックス
Ｗ…背景地紋画像
【図１】
2008113338.tif 000003
【図２】
2008113338.tif 000004
【図３】
2008113338.tif 000005
【図４】
2008113338.tif 000006
【図５】
2008113338.tif 000007
【図６】
2008113338.tif 000008
【図７】
2008113338.tif 000009
【図８】
2008113338.tif 000010
【図９】
2008113338.tif 000011
【図１０】
2008113338.tif 000012
【図１１】
2008113338.tif 000013
【図１２】
2008113338.tif 000014
【図１３】
2008113338.tif 000015
【図１４】
2008113338.tif 000016
【図１５】
2008113338.tif 000017
【図１６】
2008113338.tif 000018
【図１７】
2008113338.tif 000019
【図１８】
2008113338.tif 000020
【図１９】
2008113338.tif 000021
【図２０】
2008113338.tif 000022
【図２１】
2008113338.tif 000023
【図２２】
2008113338.tif 000024
【図２３】
2008113338.tif 000025